(57)【要約】【課題】プリアンブルシンボルを捕捉復調する際に、差動復調結果に含まれる位相誤差量が最小となる復調結果を出力するＯＦＤＭ受信装置を提供する。【解決手段】ＯＦＤＭ変調信号のプリアンブルシンボルに含まれる情報の復調及びプリアンブルシンボルの同期位置検出を行うプリアンブルシンボル捕捉復調部と、直交検波部からのＯＦＤＭ変調信号をプリアンブルシンボル捕捉復調部から出力されるプリアンブルシンボルの情報および同期位置に基づいてＦＦＴ演算するＦＦＴ演算部とを備え、プリアンブルシンボル捕捉復調部は、プリアンブルシンボルの情報によりプリアンブルシンボルの前方部と後方部でキャリア間隔が小さい方を優先する重み付け係数の演算を行うことにより、差動復調に含まれる位相誤差量が最小となるプリアンブルシンボルの復調が可能となる。【選択図】図１
2011035758.tif 000002
【特許請求の範囲】
【請求項１】
アンテナから受信するＯＦＤＭ変調信号から所定の周波数の信号を取り出すチューナ部と、
前記チューナ部からのＯＦＤＭ変調信号をアナログからデジタルに変換するＡ／Ｄ部と、
前記Ａ／Ｄ部からのＯＦＤＭ変調信号を所望の周波数帯へと変換する直交検波部と、
前記直交検波部からのＯＦＤＭ変調信号から、前記ＯＦＤＭ変調信号のプリアンブルシンボルに含まれる情報の復調及びプリアンブルシンボルの同期位置検出を行うプリアンブルシンボル捕捉復調部と、
前記直交検波部からのＯＦＤＭ変調信号を前記プリアンブルシンボル捕捉復調部から出力されるプリアンブルシンボルの情報および同期位置に基づいてＦＦＴ演算するＦＦＴ演算部と、
前記ＦＦＴ演算部からの演算結果に対し、伝送路特性を推定し伝送路特性を基に等化処理を行う等化部と、
前記等化部からの等化処理後信号に対し、誤り訂正処理を行う誤り訂正部と、
前記誤り訂正部からの誤り訂正後信号を復号化する復号部とを備え、
前記プリアンブルシンボル捕捉復調部は、前記プリアンブルシンボルの情報によりプリアンブルシンボルの前方部と後方部でキャリア間隔が小さい方を優先する重み付け係数の演算を行うことを特徴とするＯＦＤＭ受信装置。
【請求項２】
前記プリアンブルシンボル捕捉復調部は、キャリア電力が大きい方を優先する重み係数を掛け合せることを特徴とする請求項１に記載のＯＦＤＭ受信装置。
【請求項３】
前記プリアンブルシンボル捕捉復調部は、前記プリアンブルシンボルの情報によりプリアンブルシンボルの前方部と後方部で、キャリア間隔が小さい方を１００％、キャリア間隔が大きい方を０％とする重み付け係数の演算を行うことを特徴とする請求項１に記載のＯＦＤＭ受信装置。
【請求項４】
前記プリアンブルシンボル捕捉復調部は、前記プリアンブルシンボルの情報によりプリアンブルシンボルの前方部と後方部で、キャリア間隔の比率により重み付け係数の演算を行うことを特徴とする請求項１に記載のＯＦＤＭ受信装置。
【発明の詳細な説明】
【技術分野】
【０００１】
本発明は、地上デジタル放送方式などで用いられるＯＦＤＭ（直交周波数分割多重：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式の受信装置に関し、特にプリアンブルシンボルの復調性能の改善に関するものである。
【背景技術】
【０００２】
ＯＦＤＭ変調方式は、デジタル放送や携帯電話、無線ＬＡＮなど無線通信の分野において採用されるマルチキャリアによるデジタル伝送方式である。ＯＦＤＭ変調方式が採用されたＯＦＤＭ送信装置では、直交周波数分割多重変調信号を送信する。
【０００３】
ＯＦＤＭ変調装置では、送信時にシンボル毎に複数のデータに対し、ＩＦＦＴ演算をしてＯＦＤＭ変調信号を生成する。ここで、携帯電話、無線ＬＡＮ等のＯＦＤＭ変調信号には、予め定められた信号であるプリアンブルシンボルとばれる信号が存在し、ＯＦＤＭ変調信号であるパケットやフレームの先頭部に設けられている。
【０００４】
ＯＦＤＭ復調装置では、受信したＯＦＤＭ変調信号に存在するプリアンブルシンボルを基に、ＯＦＤＭ変調信号とのタイミング検出など、同期処理を行うことができる。ＯＦＤＭ復調装置は、プリアンブルシンボルにより検出された同期情報を基に、ＯＦＤＭ変調信号の復調処理を行う。
【０００５】
近年、デジタルテレビ放送の分野においても、プリアンブルシンボルが含まれる放送方式が規格化されている。例えば、欧州次世代地上デジタル放送方式（ＤＶＢ−Ｔ２）では、ＯＦＤＭ変調装置において、プリアンブルシンボルが生成され、ＯＦＤＭ変調信号であるデータのフレーム先頭部に設けられている。また、ＤＶＢ−Ｔ２方式のＯＦＤＭ変調装置には、プリアンブルシンボルを変調するプリアンブルシンボル変調部を備える。ＤＶＢ−Ｔ２方式のプリアンブルシンボルには、送信システムモデルに関する情報とフレーム構成に関する情報が含まれている（例えば、非特許参考文献１を参照）。
【０００６】
図１１は、前記非特許文献１に記載された従来のＤＶＢ−Ｔ２方式でのプリアンブルシンボル変調部のブロック図を示すものである。図１１において、プリアンブルシンボル変調部１００は、プリアンブルシンボルに含まれる送信システムモデル情報（以下、Ｓ１情報という）、フレーム構成情報（以下、Ｓ２情報という）が入力され、入力情報に対し、冗長性を持たせ拡散処理を行うシグナリング処理部１０１と、シグナリング処理部１０１からのビットデータに対し、隣り合う信号同士に差動変調処理を行う変調部１０２と、変調部１０２からの変調信号に対しスクランブル処理を行うスクランブル処理部１０３と、キャリア配置情報を記録したキャリア配置情報記録部１０４と、スクランブル処理部１０３によりスクランブル処理された信号を、キャリア配置情報記録部１０４に記録されたキャリア配置情報に従いキャリア方向に離散的に配置を行うキャリア配置部１０５と、キャリア配置部１０５の信号に対し、ＩＦＦＴ演算を行うＩＦＦＴ演算部１０６と、ＩＦＦＴ演算部１０６からの演算結果に対し、前後にガードインターバルを付加するガードインターバル付加部１０７とを備える。
【０００７】
ここで、図１２は従来のＤＶＢ−Ｔ２方式におけるキャリア配置情報記録部１０４に保持されているプリアンブルシンボルのキャリア配置番号一覧を示す図である。Ｓ１情報とＳ２情報はシグナリング処理部１０１によりシグナリング処理をされ、各々６４ビットと１２８ビットの構成となる。スクランブル処理部１０３がシグナリング処理部１０１より出力される信号に対しスクランブル処理を行う。そして、スクランブル処理後の信号は図１２に示すキャリア配置番号に従って、キャリア方向に１ビット情報単位で離散的に配置される。このとき、Ｓ１スクランブル信号は周波数軸上に２箇所（プリアンブルシンボル前方部と後方部）に配置される。
【０００８】
また、図１３には、従来のＤＶＢ−Ｔ２方式における周波数軸上でのプリアンブルシンボルのキャリア配置図を示す。Ｓ１スクランブル信号とＳ２スクランブル信号は、図１２に示すキャリア配置番号に従い、図１３に示すようにそれぞれの周波数軸上に離散的に配置される。
【０００９】
次に、図１４は従来のＯＦＤＭ復調装置を基に、想定されるＤＶＢ−Ｔ２放送方式のＯＦＤＭ受信装置のブロック図を示すものである。図１４に示すＯＦＤＭ受信装置２００は、ＯＦＤＭ変調信号を受信する受信アンテナ部２０１と、受信アンテナ部２０１とＯＦＤＭ受信装置２００を接続するコネクタ２０２と、コネクタ２０２から受信されたＯＦＤＭ変調信号より所望の周波数帯域の信号のみ取り出すチューナ部２０３と、チューナ部２０３から出力されるＯＦＤＭ変調信号をアナログからデジタルに変換するＡ／Ｄ部２０４と、Ａ／Ｄ部２０４から出力される中間周波数帯域にあるＯＦＤＭ変調信号を、局部発信周波数を基に所望の基底周波数帯へと変換する直交検波部２０５と、直交検波部２０５より出力されるＯＦＤＭ変調信号から、ＯＦＤＭ変調信号のプリアンブルシンボルに含まれる情報の復調及びプリアンブルシンボルの同期位置検出を行うプリアンブルシンボル捕捉復調部２０６と、直交検波部２０５より出力されるＯＦＤＭ変調信号をプリアンブルシンボル捕捉復調部２０６から出力されるフレーム構成情報およびフレーム同期位置情報に基づいてＦＦＴ演算するＦＦＴ演算部２０７と、ＦＦＴ演算部２０７より出力される演算結果に対し、伝送路特性を推定し伝送路特性を基に等化処理を行う等化部２０８と、等化部２０８から出力される等化処理後信号に対し、誤り訂正処理を行う誤り訂正部２０９と、誤り訂正部２０９より出力される誤り訂正後信号を例えばＨ．２６４方式などで符号化されたデータを復号化する復号部２１０と、復号部２１０から出力される復号後信号を外部機器へ出力するコネクタ２１１と、コネクタ２１１から出力される信号を基に映像・音声等のデータとして表示・再生する表示部２１２とを、備える。
【００１０】
ＤＶＢ−Ｔ２放送方式におけるＯＦＤＭ受信装置２００においては、非特許文献２に記載されているように、受信したＯＦＤＭ変調信号のプリアンブルシンボルの同期位置検出およびプリアンブルシンボルに含まれる情報の復調を行う、プリアンブルシンボル捕捉復調部２０６を備えることが容易に考えられる。
【００１１】
プリアンブルシンボル捕捉復調部２０６により、受信したＯＦＤＭ変調信号のフレームの同期位置の検出、フレーム構造の取得、および送信システムモデル情報の取得を行う。ＯＦＤＭ受信装置２００では、これらの情報を基にフレームの同期位置に基づく範囲に対しシンボルの同期位置を検出し、さらにシンボルの同期位置に基づく範囲に対し、ＦＦＴ演算を行い、それぞれのシンボルに含まれるデータを抽出する。
【００１２】
以上のＤＶＢ−Ｔ２放送方式におけるＯＦＤＭ復調装置２００の構成において、特にプリアンブルシンボル捕捉復調部２０６について説明する。
【００１３】
プリアンブルシンボル捕捉復調部２０６は、ＯＦＤＭ変調信号からプリアンブルシンボルの同期位置を検出するプリアンブルシンボル検出部とプリアンブルシンボル復調部を備える。
【００１４】
図１５は従来のプリアンブルシンボル捕捉復調部２０６のブロック図である。図１５に示すプリアンブルシンボル捕捉復調部２０６は、直交検波部２０５とプリアンブルシンボル捕捉復調部２０６を接続するコネクタ３０１と、直行検波部２０５から出力されるＯＦＤＭ変調信号からプリアンブルシンボルの同期位置を検出し、ガードインターバルを除いたプリアンブルシンボルを捕捉するプリアンブルシンボル捕捉部３０２と、プリアンブルシンボル捕捉部３０２より出力されるプリアンブルシンボルの位置情報を基に、プリアンブルシンボルに対しＦＦＴ演算を行うＦＦＴ演算部３０３と、ＦＦＴ演算部３０３より出力されるＦＦＴ演算結果に対し、変調時に離散的に配置されたＳ１情報のスクランブル処理結果とＳ２情報のスクランブル処理結果に対応するキャリアを抽出するキャリア情報抽出部３０４と、キャリア情報抽出部３０４より出力されるＳ１情報のスクランブル処理結果に対応するキャリア信号とＳ２情報のスクランブル処理結果に対応するキャリア信号に対し、デスクランブル処理を行うデスクランブル処理部３０５と、デスクランブル処理部３０５より出力されるデスクランブル結果に対し、差動復調処理を行う復調部３０６と、復調部３０６からの復調処理結果に対し、Ｓ１情報とＳ２情報の整合および判定を行うパターンマッチング部３０７と、パターンマッチング部３０７と次のブロックを接続するコネクタ３０８とを、備える。
【先行技術文献】
【非特許文献】
【００１５】
【非特許文献１】Ｆｒａｍｅ  ｓｔｒｕｃｔｕｒｅ  ｃｈａｎｎｅｌ  ｃｏｄｉｎｇ  ａｎｄ  ｍｏｄｕｌａｔｉｏｎ  ｆｏｒ  ａ  ｓｅｃｏｎｄ  ｇｅｎｅｒａｔｉｏｎ  ｄｉｇｉｔａｌ  ｔｅｒｒｅｓｔｒｉａｌ  ｔｅｌｅｖｉｓｉｏｎ  ｂｒｏａｄｃａｓｔｉｎｇ  ｓｙｓｔｅｍ（ＤＶＢ−Ｔ２）  ＤＶＢ  Ｄｏｃｕｍｅｎｔ  Ａ１２２ｒ１
【非特許文献２】Ｉｍｐｌｅｍｅｎｔａｔｉｏｎ  ｇｕｉｄｅｌｉｎｅｓ  ｆｏｒ  ａ  ｓｅｃｏｎｄ  ｇｅｎｅｒａｔｉｏｎ  ｄｉｇｉｔａｌ  ｔｅｒｒｅｓｔｒｉａｌ  ｔｅｌｅｖｉｓｉｏｎ  ｂｒｏａｄｃａｓｔｉｎｇ  ｓｙｓｔｅｍ（ＤＶＢ−Ｔ２）ＤＶＢ  Ｄｏｃｕｍｅｎｔ  Ａ１３３
【発明の概要】
【発明が解決しようとする課題】
【００１６】
しかしながら、上記ＤＶＢ−Ｔ２放送方式のＯＦＤＭ復調装置では、プリアンブルシンボルを捕捉し復調する際、Ｓ１情報が周波数軸上に２箇所存在するため、２つのＳ１情報の差動復調結果が算出される。このような場合、２つのＳ１情報を個別に差動復調し、差動復調結果を均等に加算／合成することが考えられる。しかしながら、差動復調の際、隣り合うキャリア同士を差動復調するが、差動復調対象となるキャリアの間隔により、信号の位相誤差量に差が生じるため、キャリア間隔が離れるほど復調結果の信頼性が低下するという課題を有していた。
【００１７】
本発明は、前記従来の課題を解決するもので、キャリア方向に離散的に配置されたキャリアを用いて差動変調されているプリアンブルシンボルを捕捉復調する際に、差動復調結果に含まれる位相誤差量が最小となる復調結果を出力するＯＦＤＭ受信装置を提供することを目的とする。
【課題を解決するための手段】
【００１８】
前記従来の課題を解決するために、本発明のＯＦＤＭ受信装置は、アンテナから受信するＯＦＤＭ変調信号から所定の周波数の信号を取り出すチューナ部と、チューナ部からのＯＦＤＭ変調信号をアナログからデジタルに変換するＡ／Ｄ部と、Ａ／Ｄ部からのＯＦＤＭ変調信号を所望の周波数帯へと変換する直交検波部と、直交検波部からのＯＦＤＭ変調信号から、ＯＦＤＭ変調信号のプリアンブルシンボルに含まれる情報の復調及びプリアンブルシンボルの同期位置検出を行うプリアンブルシンボル捕捉復調部と、直交検波部からのＯＦＤＭ変調信号をプリアンブルシンボル捕捉復調部から出力されるプリアンブルシンボルの情報および同期位置に基づいてＦＦＴ演算するＦＦＴ演算部と、ＦＦＴ演算部からの演算結果に対し、伝送路特性を推定し伝送路特性を基に等化処理を行う等化部と、等化部からの等化処理後信号に対し、誤り訂正処理を行う誤り訂正部と、誤り訂正部からの誤り訂正後信号を復号化する復号部とを備え、プリアンブルシンボル捕捉復調部は、プリアンブルシンボルの情報によりプリアンブルシンボルの前方部と後方部でキャリア間隔が小さい方を優先する重み付け係数の演算を行うことを特徴とする。
【００１９】
本構成によって、差動復調に含まれる位相誤差量が最小となるプリアンブルシンボルの復調が可能となる。
【発明の効果】
【００２０】
本発明のデジタル放送受信装置によれば、キャリア方向に離散的に配置されたキャリアを用いて差動変調されているプリアンブルシンボルを捕捉復調する際に、差動復調結果に含まれる位相誤差量が最小となる復調結果を出力するＯＦＤＭ受信装置を実現することができる。
【図面の簡単な説明】
【００２１】
【図１】本発明の実施例１におけるＤＶＢ−Ｔ２方式のＯＦＤＭ受信装置のブロック図
【図２】本発明の実施例１におけるプリアンブルシンボル捕捉復調部のブロック図
【図３】本発明の実施例１におけるデータベース保持部に保持されているプリアンブルシンボルに関する情報（プリアンブルシンボル前方部）のデータ構成図
【図４】本発明の実施例１におけるデータベース保持部に保持されているプリアンブルシンボルに関する情報（プリアンブルシンボル後方部）のデータ構成図
【図５】本発明の実施例１における重み付け演算合成部のブロック図
【図６】本発明の実施例１におけるデータベース保持部に保持されているキャリア間隔情報のデータ構成図
【図７】本発明の実施例１における演算／合成部により算出される重み付け係数の一例を示すデータ構成図
【図８】本発明の実施例１におけるプリアンブルシンボルにおけるキャリア電力の一例を示すデータ模式図
【図９】本発明の実施例１におけるプリアンブルシンボルにおける周波数スペクトラムの一例を示すデータ模式図
【図１０】本発明の実施例１における演算／合成部により算出される重み付け係数の一例を示すデータ構成図
【図１１】従来のＤＶＢ−Ｔ２方式におけるプリアンブルシンボル変調部のブロック図
【図１２】従来のＤＶＢ−Ｔ２方式におけるプリアンブルシンボルのキャリア配置番号一覧を示す図
【図１３】従来のＤＶＢ−Ｔ２方式における周波数軸上でのプリアンブルシンボルのキャリア配置図
【図１４】従来のＤＶＢ−Ｔ２方式におけるＯＦＤＭ受信装置のブロック図
【図１５】従来のプリアンブルシンボル捕捉復調部のブロック図
【発明を実施するための形態】
【００２２】
以下本発明を実施するための最良の形態について、図面を参照しながら説明する。
【実施例１】
【００２３】
図１は本発明の実施例１におけるＤＶＢ−Ｔ２放送方式のＯＦＤＭ受信装置のブロック図を示すものである。図１に示すＯＦＤＭ受信装置１は、ＯＦＤＭ変調信号を受信する受信アンテナ部２０１とＯＦＤＭ受信装置１を接続するコネクタ２と、コネクタ２から受信されたＯＦＤＭ変調信号より所望の周波数帯域の信号のみ取り出すチューナ部３と、チューナ部３から出力されるＯＦＤＭ変調信号をアナログからデジタルに変換するＡ／Ｄ部４と、Ａ／Ｄ部４から出力される中間周波数帯域にあるＯＦＤＭ変調信号を、局部発信周波数を基に所望の基底周波数帯へと変換する直交検波部５と、直交検波部５より出力されるＯＦＤＭ変調信号から、ＯＦＤＭ変調信号のプリアンブルシンボルに含まれる情報の復調及びプリアンブルシンボルの同期位置検出を行うプリアンブルシンボル捕捉復調部６と、直交検波部５より出力されるＯＦＤＭ変調信号をプリアンブルシンボル捕捉復調部６から出力されるフレーム構成情報およびフレーム同期位置情報に基づいてＦＦＴ演算するＦＦＴ演算部７と、ＦＦＴ演算部７より出力される演算結果に対し、伝送路特性を推定し伝送路特性を基に等化処理を行う等化部８と、等化部８から出力される等化処理後信号に対し、誤り訂正処理を行う誤り訂正部９と、誤り訂正部９より出力される誤り訂正後信号を例えばＨ．２６４方式などで符号化されたデータを復号化する復号部１０と、復号部１０から出力される復号後信号を外部機器へ出力するコネクタ１１と、コネクタ１１から出力される信号を基に映像・音声等のデータとして表示・再生する表示部１２とを、備える。本発明の実施例１におけるＯＦＤＭ受信装置１は、従来のＯＦＤＭ受信装置２００とプリアンブルシンボル捕捉復調部６が異なるので、プリアンブルシンボル捕捉復調部６を詳細に説明する。
【００２４】
図２は、本発明の実施例１におけるＯＦＤＭ受信装置のプリアンブルシンボル捕捉復調部のブロック図である。図２において、プリアンブルシンボル捕捉復調部６は、コネクタ６１、プリアンブルシンボル捕捉部６２、ＦＦＴ演算部６３、キャリア情報抽出部６４、デスクランブル処理部６５、復調部６６、重み付け演算合成部６７、データベース保持部６８、パターンマッチング部６９、コネクタ７０を備える。
【００２５】
コネクタ６１は、前段ブロックである直交検波部５とプリアンブルシンボル捕捉復調部６とを接続する。プリアンブルシンボル捕捉部６２では、受信したＯＦＤＭ変調信号からプリアンブルシンボルを検出し、フレーム構成情報とガードインターバルを除いたプリアンブルシンボルの先頭位置をＦＦＴ演算部６３に出力する。
【００２６】
ＦＦＴ演算部６３は、プリアンブルシンボル捕捉部６２より出力されるプリアンブルシンボルの位置情報を基に、プリアンブルシンボルに対しＦＦＴ演算を行い、演算結果をキャリア情報抽出部６４に出力する。
【００２７】
キャリア情報抽出部６４は、ＦＦＴ演算部６３より出力されるＦＦＴ演算結果より、変調時に離散的に配置されたＳ１情報のスクランブル処理結果とＳ２情報のスクランブル処理結果に対するキャリアを抽出し、デスクランブル処理部６５に出力する。
【００２８】
デスクランブル処理部６５は、キャリア情報抽出部６４より出力されるＳ１情報のスクランブル処理結果に対応するキャリア信号とＳ２情報のスクランブル処理結果に対応するキャリア信号に対し、デスクランブル処理を行い、デスクランブル結果を復調部６６に出力する。
【００２９】
復調部６６は、デスクランブル処理部６５より出力されるデスクランブル処理結果に対し、差動復調処理を行い、差動復調結果を重み付け演算合成部６７に出力する。
【００３０】
データベース保持部６８は、プリアンブルシンボルのキャリア配置情報やキャリア間隔情報などを保持する。
【００３１】
重み付け／合成部６７は、復調部６６より出力される差動復調結果と、データベース保持部６８に保持しているプリアンブルシンボルのキャリア配置情報より重み付け係数を算出し、重み付け係数を基に２つのＳ１情報から合成したＳ１情報を算出し、算出されたＳ１情報とＳ２情報をパターンマッチング部６９に出力する。
【００３２】
パターンマッチング部６９は、重み付け演算合成部６７から出力されるＳ１情報とＳ２情報から、Ｓ１情報とＳ２情報の整合および判定を行い、結果を出力する。コネクタ７０はプリアンブルシンボル捕捉復調部６と後段のブロックであるＦＦＴ演算部７とを接続する。
【００３３】
次に図３および図４を用いて、本発明の実施例１におけるデータベース保持部６８に保存されているプリアンブルシンボルに関する情報のデータ構成図を示す。本データは、図２に示すデスクランブル処理部６５により出力される２つのＳ１情報のデスクランブル信号のキャリア配置番号と、２つのＳ１情報のデスクランブル信号が差動復調処理を行う際の差動復調対象となる隣り合うキャリアとのキャリア間隔を示したものである。図３には、プリアンブルシンボル前方に位置するＳ１情報のデスクランブル信号Ｓ１（０）〜Ｓ１（６３）のキャリア毎のキャリア間隔情報を、図４にはプリアンブルシンボル後方に位置するＳ１情報のデスクランブル信号Ｓ１（３２０）〜Ｓ１（３８３）のキャリア毎のキャリア間隔情報を示す。
【００３４】
例えば、Ｓ１情報のデスクランブル信号のうち、図３に示すＳ１（１）からＳ１（６）をみると、Ｓ１（１）（キャリア配置番号４５）ではキャリア間隔は１であり、最少のキャリア間隔となる。Ｓ１（２）（キャリア配置番号４７）では，キャリア間隔は２であり、Ｓ１（４）（キャリア配置番号５４）とＳ１（６）（キャリア配置番号６２）ではキャリア間隔は３、Ｓ１（３）（キャリア配置番号５１）ではキャリア間隔は４、Ｓ１（５）（キャリア配置番号５９）ではキャリア間隔は最大となる５となっている。
【００３５】
また同様に、例えばＳ１情報のデスクランブル信号のうち、図４に示すＳ１（３２１）からＳ１（３２６）をみてみると、Ｓ１（３２１）（キャリア配置番号６８９）ではキャリア間隔は最大となる５であり、Ｓ１（３２２）（キャリア配置番号６９２）ではキャリア間隔は３、Ｓ１（３２３）（キャリア配置番号６９６）ではキャリア間隔は４、Ｓ１（３２４）（キャリア配置番号６９８）ではキャリア間隔は２、Ｓ１（３２５）（キャリア配置番号６９９）ではキャリア間隔は最少となる１である。
【００３６】
このように、２つのＳ１情報のデスクランブル信号のキャリア配置とキャリア間隔が関連づけられた情報を、キャリア間隔情報と呼ぶ。
【００３７】
次に、図５を用いて、本発明の実施例１における重み付け演算合成部６７のブロック図について説明する。重み付け演算合成部６７は、復調部６６の出力を入力する復調結果入力端子７１、復調結果振り分け部７２、第１のＳ１復調結果読み込み部７３、第２のＳ１復調結果読み込み部７４、Ｓ２復調結果読み込み部７５、データベース保持部６８からの入力端子７６、演算／合成部７７と、パターンマッチング部６９への出力端子７８を含む。
【００３８】
復調結果振り分け部７２は、復調結果入力端子７１に入力される差動復調演算結果からＳ１情報の復調結果とＳ２情報の復調結果に振り分ける。
【００３９】
第１のＳ１復調結果読み込み部７３は、復調結果振り分け部７２により振り分けられたＳ１情報の復調結果のうち、プリアンブルシンボル前方に位置する復調結果Ｓ１（０）〜Ｓ１（６３）を読み込み、第２のＳ１復調結果読み込み部７４は、復調結果振り分け部７２より振り分けられたＳ１情報の復調結果のうち、プリアンブルシンボル後方に位置する復調結果Ｓ１（３２０）〜Ｓ１（３８３）を読み込み、演算／合成部７７に出力する。
【００４０】
演算／合成部７７はデータベース保持部６８からの入力端子７６に入力されるプリアンブルに関する情報と、第１のＳ１復調結果読み込み部７３および第２のＳ１復調結果読み込み部７４から入力される２つのＳ１情報の復調結果より重み付け係数を算出し、重み付け係数を付加した２つの復調結果の合成処理を行い、処理結果となるＳ１情報の復調結果をパターンマッチングへの出力端子７８に出力する。
【００４１】
次に、図６を用いて演算／合成部７７が２つのＳ１情報の復調結果から演算合成処理を行う例を示す。図６は、本発明の実施例１におけるデータベース保持部に保持されているキャリア間隔情報のデータ構成図で、データベース保持部６８に保持されているキャリア間隔情報を基に、第１のＳ１復調結果読み込み部７３より入力されるＳ１情報の復調結果Ｓ１（ｎ）に対応するキャリア間隔情報と、第２のＳ１復調結果読み込み部７４より入力されるＳ１情報の復調結果Ｓ１（ｎ＋３２０）に対応するキャリア間隔情報を示している。例えばｎ＝１番目の場合、Ｓ１（１）のキャリア間隔情報は１、Ｓ１（３２１）のキャリア間隔情報は５となっており、この場合、Ｓ１（１）のキャリア間隔よりＳ１（３２１）のキャリア間隔の方が広い為、キャリア間隔に起因する位相誤差量による影響が大きく復調結果の信頼性が低下する可能性が高い。
【００４２】
そこで、演算／合成部７７では、Ｓ１（ｎ）のキャリア間隔情報とＳ１（ｎ＋３２０）のキャリア間隔情報からキャリア間隔の小さいＳ１情報の復調結果に対して例えば重み付け係数を１００％と算出し、またキャリア間隔の大きいＳ１情報の復調結果に対して例えば重み付け係数を０％と算出し、重み付け係数を付加した２つの復調結果の合成処理を行う。
【００４３】
例えば図６のｎ＝１の場合、Ｓ１（１）のキャリア間隔情報は１、Ｓ１（３２１）のキャリア間隔情報は５であるため、演算／合成部７７ではＳ１（１）の復調結果に１００％の重み付け係数を付加し、Ｓ１（３２１）の復調結果に０％の重み付け係数を付加し、重み付け係数を付加した２つのＳ１情報の復調結果の合成処理を行い、結果を出力する。
【００４４】
また、ｎ＝４の場合では、Ｓ１（４）のキャリア間隔情報は３、Ｓ１（３２４）のキャリア間隔情報は２であるため、演算／合成部７７ではＳ１（１）の復調結果に０％の重み付け係数を付加し、Ｓ１（３２４）の復調結果に１００％の重み付け係数を付加し、重み付け係数を付加した２つの復調結果の合成処理を行い、結果を出力する。
【００４５】
一方、ｎ＝０やｎ＝３のようにＳ１（ｎ）のキャリア間隔とＳ１（ｎ＋３２０）のキャリア間隔が等しい場合、それぞれのＳ１情報の復調結果に対し５０％の重み付け係数を付加し、重み付け係数を付加した２つの復調結果の合成処理を行い、結果を出力する。例えばｎ＝０の場合、Ｓ１（０）のキャリア間隔情報は１、Ｓ１（３２０）のキャリア間隔情報も１であるため、演算／合成部７７ではＳ１（０）の復調結果に５０％の重み付け係数を付加し、Ｓ１（３２０）の復調結果に５０％の重み付け係数を付加し、重み付け係数を付加した２つの復調結果の合成処理を行い、結果を出力する。またｎ＝３の場合、Ｓ１（３）のキャリア間隔情報は４、Ｓ１（３２３）のキャリア間隔情報も４であるため、演算／合成部７７ではＳ１（３）の復調結果に５０％の重み付け係数を付加し、Ｓ１（３２３）の復調結果に５０％の重み付け係数を付加し、重み付け係数を付加した２つの復調結果の合成処理を行い、結果を出力する。
【００４６】
なお、本実施例において、Ｓ１情報の復調結果Ｓ１（０）の値は、他のＳ１、Ｓ２情報の復調結果と異なり、変調時に差動変調の対象となるＳ（ｎ−１）の値が、プリアンブル変調部の設定によって異なることが考えられる。例えば、変調元となる信号をａとし、変調後の信号をｙとしたとき、差動変調は数式１で定義される。
【００４７】
【数１】
2011035758.tif 000003
【００４８】
つまり、差動変調は、一つ前の差動変調結果を用いて変調を行っている。そのためＳ１（０）はＳ１（ｎ−１）の値が不明であるため、Ｓ１（ｎ）とＳ１（３２０）の演算合成処理では、Ｓ１（０）の値は使わずにＳ１（３２０）の値のみを用いることとしてもよい。
【００４９】
なお、本実施例において、キャリア間隔の大小により算出する重み付け係数を、１００％又は０％に設定し付加しているが、それぞれのキャリア間隔差から重み付け係数を設定することにより、さらに高精度な重み付け係数の生成、合成演算が実現可能となる。例えば、図７は本発明の実施例１における演算／合成部により算出される重み付け係数の一例を示すデータ構成図で、データベース保持部６８に保持されているキャリア間隔情報を基に、Ｓ１（ｎ）のキャリア情報とＳ１（ｎ＋３２０）のキャリア情報のキャリア間隔に対して演算／合成部７７で算出される重み付け係数の一例を示している。図７の上段の数字はＳ１（ｎ）に対する重み付け係数を、下段の数字はＳ１（ｎ＋３２０）に対する重み付け係数を、それぞれ示している。
【００５０】
最大のキャリア間隔情報は５であり、最小のキャリア間隔情報は１である。２つのキャリア間隔情報の差が４の場合、キャリア間隔情報が小さいＳ１情報の復調結果に１００％の重み付け係数を付加し、キャリア間隔情報が大きいＳ１情報の復調結果に０％の重み付け係数を付加する。また、２つのキャリア間隔情報の差が３の場合、キャリア間隔情報が小さいＳ１情報の復調結果に８７．５％の重み付け係数を付加し、キャリア間隔情報が大きいＳ１情報の復調結果に１２．５％の重み付け係数を付加する。また、２つのキャリア間隔情報の差が２の場合、キャリア間隔情報が小さいＳ１情報の復調結果に７５％の重み付け係数を付加し、キャリア間隔情報が大きいＳ１情報の復調結果に２５％の重み付け係数を付加する。
【００５１】
また、２つのキャリア間隔情報の差が１の場合、キャリア間隔情報が小さいＳ１情報の復調結果に６２．５％の重み付け係数を付加し、キャリア間隔情報が大きいＳ１情報の復調結果に３７．５％の重み付け係数を付加する。また、２つのキャリア間隔情報の差が０の場合、それぞれのＳ１情報の復調結果に５０％の重み付け係数を付加する。
【００５２】
例えば、Ｓ１（ｎ）のキャリア間隔情報が２、Ｓ１（ｎ＋３２０）のキャリア間隔情報が３の場合を用いて説明すると、Ｓ１（ｎ）のキャリア間隔はＳ１（ｎ＋３２０）のキャリア間隔との差は１であり、Ｓ１（ｎ）のキャリア間隔の方が小さい。そこで、Ｓ１（ｎ）の復調結果に対し算出された６２．５％の重み付け係数を付加し、Ｓ１（ｎ＋３２０）の復調結果に対し算出された３７．５％の重み付け係数を付加し、重み付け係数を付加した２つの復調結果の合成処理を行い、結果を出力する。
【００５３】
つまり、２つのＳ１情報の復調結果を合成する際、それぞれのキャリア間隔情報に基づいた重み付け係数を演算／合成部７７で算出することにより、それぞれのキャリア間隔を加味した、精度の高い重み付け係数の生成、合成演算が実現可能となる。
【００５４】
かかる構成によれば、プリアンブルシンボル捕捉復調部は、前記プリアンブルシンボルの情報によりプリアンブルシンボルの前方部と後方部でキャリア間隔が小さい方を優先する重み付け係数の演算を行うことにより、復調結果の信頼性の高いキャリア間隔が小さいデータを採用することとなり、差動復調に含まれる位相誤差量が最小となるプリアンブルシンボルの復調をすることができる。
【００５５】
なお、本実施例では、重み付け係数は０％、１２．５％、２５％、３７．５％、５０％、６２．５％、７５％、８７．５％、１００％を例として示しているが、キャリア間隔に応じて係数値を変更してもよい。
【００５６】
なお、本実施例では、図７に示す、演算／合成部７７によって算出する重み付け係数を、あらかじめ算出し、重み付け情報としてデータベース保持部１８に保持することで、演算／合成部７７の重み付け係数算出処理を低減することができる。
【００５７】
なお、２つのキャリア間隔情報が等しい場合、それぞれのＳ１復調結果に５０％の重み付け係数を付加しているが、それぞれのキャリア電力に応じて重み付け係数を生成することにより、さらに高精度な重み付け係数生成、合成演算が可能となる。
【００５８】
図８はＳ１（ｎ）とＳ１（ｎ＋３２０）のキャリア間隔情報が等しくなる場合のそれぞれのキャリア電力値の一例を示す。Ｓ１（ｎ）のキャリア電力は−４０ｄＢであり、Ｓ１（ｎ＋３２０）のキャリア電力は−６０ｄＢである。ここで演算／合成部７７は、基準電力を０ｄＢとした場合、基準電力に対するキャリア電力より重み付け係数を算出し、Ｓ１（ｎ）の復調結果に対し算出された６０％の重み付け係数を付加し、Ｓ１（ｎ＋３２０）の復調結果に対し、算出された４０％の重み付け係数を付加し、重み付け係数を付加した２つの復調結果の合成処理を行い、結果を出力する。つまり、Ｓ１（ｎ）とＳ１（ｎ＋３２０）のキャリア間隔情報が等しい場合、それぞれのキャリア電力から重み付け係数を算出することで、精度の高い重み付け係数の生成、合成演算が可能となる。
【００５９】
なお、ここでは基準電力を０ｄＢとしたが、受信するすべてのＯＦＤＭ変調信号を用いて基準電力を設定してもよい。
【００６０】
なお、ここでは基準電力を０ｄＢとしたが、受信するプリアンブルシンボル全体の変調信号を用いて算出してもよい。
【００６１】
なお、ここではキャリア電力値を直接用いて重み付け係数を算出したが、キャリア電力値に対する重み付け係数の対応一覧テーブルを重み付け情報としてデータベース保持部１８に保持させるようにしてもうよい。また、この重み付け情報は任意に変更できるようにしてもよい。
【００６２】
なお、本実施例において、キャリア間隔の大小により重み付け係数を算出し、付加しているが、キャリア間隔と受信した際のキャリア電力を加味した重み付け係数を生成することにより、さらに高精度な重み付け生成、合成演算が可能となる。
【００６３】
例えば、図９にプリアンブルシンボルの周波数スペクトラムの一例を示しており、縦軸にキャリア電力、横軸に周波数を示している。スペクトラムに変動が無く一定な受信環境では図９（ａ）に示すようにキャリア電力は一定となる。しかし、複数の遅延波が到来してくるような受信環境では、図９（ｂ）に示すように周波数スペクトラムは大きく変動する。ここで、図９（ｂ）のαに位置するキャリアをＳ１（１１）、図９（ｂ）のβに位置するキャリアをＳ１（３３１）とした場合、Ｓ１（１１）のキャリア間隔は５、Ｓ１（３３１）のキャリア間隔は１である。キャリア電力を考慮しない重み付けの場合、例えば、Ｓ１（１１）の復調結果に対し算出された０％の重み付け係数を付加し、Ｓ１（３３１）の復調結果に対し算出された１００％の重み付け係数を付加し、重み付け係数を付加した２つの復調結果の合成処理を行い、結果を出力する。しかしこの場合、Ｓ１（３３１）に相当するキャリアは遅延波による影響を受け、位相変動の影響によりキャリア電力値が低下、つまりＳ１（３３１）のキャリア情報の信用度は低下している。
【００６４】
そこで、キャリア電力とキャリア間隔に応じて重み付け係数を算出することにより、さらに高精度な重み付け生成、合成演算が可能となる。例えば、図１０はデータベース保持部１８に保持されているキャリア間隔情報を基に、Ｓ１（ｎ）およびＳ１（ｎ＋３２０）のキャリア電力に対して演算／合成部７７で算出される重み付け係数の一例を示している。Ｓ１（ｎ）とＳ１（ｎ＋３２０）のキャリア電力とキャリア間隔から５％から１００％の重み付け係数を算出する。例えば、ｎ＝１１とし、Ｓ１（１１）のキャリア電力が−１６ｄＢ、Ｓ１（３３１）のキャリア電力を−７５ｄＢとした場合、Ｓ１（１１）でのキャリア間隔は図３に示すキャリア間隔情報より５であることがわかる。また、Ｓ１（３３１）でのキャリア間隔は同様に１であることがわかる。従って、Ｓ１（１１）の復調結果に対し算出された６５％の重み付け係数を付加し、Ｓ１（３３１）の復調結果に対し算出された２５％の重み付け係数を付加し、重み付け係数を付加した２つの復調結果の合成処理を行い、結果を出力する。
【００６５】
つまり、２つのＳ１情報の復調結果を合成する際、それぞれのキャリア間隔情報とキャリア電力に基づいた重み付け係数を演算／合成部７７で算出することにより、それぞれのキャリア間隔を加味した、精度の高い重み付け係数の生成、合成演算が実現可能となる。
【００６６】
なお、本実施例では、重み付け係数は５％、１０％、１５％、２０％、２５％、３０％、３５％、４０％、４５％、５０％、５５％、６０％、６５％、７０％、７５％、８０％、８５％、９０％、９５％、１００％を例として示しているが、キャリア間隔とキャリア電力に応じて係数値を変更してもよい。
【００６７】
なお、本実施例では、キャリア電力値を０ｄＢから−９０ｄＢと６つのキャリア電力幅に対して重み付け係数を算出するようにしているが、より詳細なキャリア電力に対して重み付け係数を算出することにより、さらに高精度の重み付け係数の生成が可能である。
【００６８】
なお、本実施例では、キャリア電力値の上限を０ｄＢとしたが、受信するすべてのＯＦＤＭ変調信号を用いてキャリア電力の上限を設定し、重み付け係数を算出するようにしてもよい。
【００６９】
なお、本実施例では、キャリア電力値の上限を０ｄＢとしたが、受信するプリアンブルシンボル全体の変調信号を用いてキャリア電力の上限を設定し、重み付け係数を算出するようにしてもよい。
【００７０】
なお、本実施例では、図１０に示す、演算／合成部７７によって算出する重み付け係数を、あらかじめ算出し、重み付け情報としてデータベース保持部１８に保持することで、演算／合成部７７の重み付け係数算出処理を低減することができる。
【産業上の利用可能性】
【００７１】
本発明にかかるＯＦＤＭ受信装置は、家庭用や社車両等の移動体に搭載されるデジタル放送受信装置として利用することができる。デジタル放送受信装置としての種類、質量、外観、形状、性能等は問わない。
【符号の説明】
【００７２】
１    受信アンテナ部
２    コネクタ
３    チューナ部
４    Ａ／Ｄ部
５    直交検波部
６    プリアンブルシンボル捕捉復調部
７    ＦＦＴ演算部
８    等化部
９    誤り訂正部
１０    復号部
１１    コネクタ
１２    表示部
６１    コネクタ
６２    プリアンブルシンボル捕捉部
６３    ＦＦＴ演算部
６４    キャリア情報抽出部
６５    デスクランブル部
６６    復調部
６７    重み付け演算合成部
６８    データベース保持部
６９    パターンマッチング部
７０    コネクタ
７１    コネクタ
７２    復調結果振り分け部
７３    第１のＳ１復調結果読み込み部
７４    第２のＳ１復調結果読み込み部
７５    Ｓ２復調結果読み込み部
７６    コネクタ
７７    演算／合成部
７８    コネクタ
【図１】
2011035758.tif 000004
【図２】
2011035758.tif 000005
【図３】
2011035758.tif 000006
【図４】
2011035758.tif 000007
【図５】
2011035758.tif 000008
【図６】
2011035758.tif 000009
【図７】
2011035758.tif 000010
【図８】
2011035758.tif 000011
【図９】
2011035758.tif 000012
【図１０】
2011035758.tif 000013
【図１１】
2011035758.tif 000014
【図１２】
2011035758.tif 000015
【図１３】
2011035758.tif 000016
【図１４】
2011035758.tif 000017
【図１５】
2011035758.tif 000018